(57)【特許請求の範囲】
【請求項１】
錠箱内に進退動自在に設けられたトリガーと、このトリガーを突出方向に付勢するトリガーバネと、戸を閉じる時にトリガーバネのバネ力に抗して後退する反面、戸を開く時にトリガーバネのバネ力により前進するトリガーに連動するように支軸を介して錠箱に軸支された鎌片と、戸の閉戸時に慣性力によって作動するように錠箱内に設けられた鎌片用係止部材とから成る引戸錠の戸の反発防止装置に於いて、前記鎌片用係止部材３０は、鎌片の下方に位置するように錠箱に上下動自在に配設された杆状のスライダーであり、このスライダーは、開戸時、錠箱に内装されたバネ部材３１により、その頭部３８が鎌片６の外周面３２ａに常時圧接するように付勢され、一方、引戸Ｘを勢い良く閉鎖した閉戸時、前記バネ部材のバネ力により固定部材側Ｙの受け金具１４に掛合した鎌片６を押えるように浮上し、この時に、鎌片の下方に設けた転動体２７が、錠箱１に配設した傾斜状のレール部材２０を戸の慣性力によって瞬時に登り、スライダーの下方に一時的に潜り込んだ後に自重により初期位置へと戻ることを特徴とする引戸錠の戸の反発防止装置。
【請求項２】
請求項１に於いて、杆状のスライダーは、錠箱に形成した垂直案内部に案内されていることを特徴とする引戸錠の戸の反発防止装置。
【請求項３】
請求項１又は請求項２に於いて、杆状のスライダーは、錠箱内に固定された台状の案内部材にスライド自在に案内される垂直棒３５Ａと、この垂直棒３５Ａの上端部に設けられた頭部３８Ａとを有していることを特徴とする引戸錠の戸の反発防止装置。
【請求項４】
請求項１に於いて、錠箱のフロント４には、ケース身２の内部方向に凹所１０が形成されていることを特徴とする引戸錠の戸の反発防止装置。
【請求項５】
請求項１に於いて、傾斜状レール部材２０は、錠箱１の後壁１ａ側からフロント４側に向かって所要の勾配が付された登り坂を有する支持台２１と、この支持台２１の前記登り坂２２に固定された長環状のガイドレール２３とから成ることを特徴とする引戸錠の戸の反発防止装置。
【請求項６】
請求項５に於いて、支持台２１の高台部分には、立ち上がり壁の上部に平坦なバネ端支持部２４が設けられていることを特徴とする引戸錠の戸の反発防止装置。
【発明の詳細な説明】
【０００１】
【発明の属する技術分野】
本発明は、引戸錠の戸の反発防止装置に関し、特に戸の慣性力を利用した引戸錠の戸の反発防止装置に関する。
【０００２】
【従来の技術】
従来に関しては、例えば実公昭６３−２８２８６号の第１図に記載されている。この第１図に記載の従来例は、錠箱内に進退動自在に設けられたトリガー（突出杆）と、このトリガーを突出方向に付勢するトリガーバネと、前記トリガーに連動するように支軸を介して錠箱に軸支された鎌片（施錠片）と、戸の閉鎖時に慣性力によって回転するように枢軸を介して錠箱に軸支された鎌片用係止片とから成る。
【０００３】
上記構成においては、鎌片の下方に配設された鎌片用係止片が主たる部材であり、該係止片は、閉戸時、戸の慣性力によって鎌片の後端部側を係止する方向へと回転し、鎌片の戻りを一時的に阻止する。これにより、引戸を勢い良く閉鎖した時に生じる反動力（「戸の跳ね返り現象」と称する。）を解消することができる。なお、例えば実公昭６３−２８２８６号公報の明細書全文及び図面に記載されているように、錠箱内にトリガーとトリガーバネと鎌片を備えるこの種の引戸錠は、戸を閉じる時に、突出杆（トリガーと称されている）３の突出先端部が受８の前面に押されると、該突出杆（トリガー）３がケース１内の後端部側の位置するバネ（トリガーバネと称されている）２のバネ力に抗して後退する。この時、連係手段（例えばラック３ａとギヤー部４ｂ）を介して突出杆（トリガー）３に連動する施錠片（鎌片と称されている）４は、受８に掛合する方向へと枢支軸６を介して回転する。一方、戸を開く時には、突出杆（トリガー）３は、バネ（トリガーバネ）２のバネ力により前進することから、施錠片（鎌片）４は、連係手段を介して初期位置へと戻る（公知事項）。
【０００４】
確かにこの構成はシンプルであり、耐久性にも優れているという利点がある。しかしながら、従来例は、鎌片用係止片が枢軸を支点に回転するので、閉戸時、受け金具に掛合した鎌片の後端部の係合切欠部に係止片の係合部が「ガッチリ」と係合した場合には、係止片の自重により係合状態が解消するとは言うものの、実際には戸の反動力が終わった直後に係合状態が解消しない場合がしばしばある。特に、戸の跳ね返り現象の影響で鎌片が微妙に錠箱側に後退した時、鎌片の係合切欠部の係合面が係止片の先端の係合面に押し当たるので、戸の反動力が終わった後であっても、係止片は容易に戻らないという問題点があった。したがって、引戸の解錠時に於いて、引戸を一旦閉戸方向に閉め直さなければ、引戸を開くことが困難であるという欠点があった。
【０００５】
【発明が解決しようとする課題】
本発明は従来の欠点に鑑み、第１の目的は、従来の実施例と同様に戸の慣性力を利用することにより、戸の跳ね返り現象を確実に防止することができる反面、戸の反動力が終わった直後に、鎌片用係止部材の障害子の機能を果している転動体が、自重により、すぐに初期位置（扉の開く方向）に戻ることができ、これにより、引戸の解錠時に於いて、引戸を一旦閉戸方向に閉め直さなくても、そのまま引戸を開くことができることである。本発明の第２の目的は、鎌片用係止部材がスムースに上下動することである。本発明の第３の目的は、引戸を勢い良く閉めた時に転動体が瞬時に浮上中の鎌片用係止部材の下方に潜り込むことである。本発明の第３の目的は、構成部品点数を極力少なくし、安価に製作することができることである。
【０００６】
【課題を解決するための手段】
引戸錠の戸の反発防止装置は、錠箱内に進退動自在に設けられたトリガーと、このトリガーを突出方向に付勢するトリガーバネと、戸を閉じる時にトリガーバネのバネ力に抗して後退する反面、戸を開く時にトリガーバネのバネ力により前進するトリガーに連動するように支軸を介して錠箱に軸支された鎌片と、戸の閉戸時に慣性力によって作動するように錠箱内に設けられた鎌片用係止部材とから成る引戸錠の戸の反発防止装置に於いて、前記鎌片用係止部材３０は、鎌片の下方に位置するように錠箱に上下動自在に配設された杆状のスライダーであり、このスライダーは、開戸時、錠箱に内装されたバネ部材３１により、その頭部３８が鎌片６の外周面３２ａに常時圧接するように付勢され、一方、引戸Ｘを勢い良く閉鎖した閉戸時、前記バネ部材のバネ力により固定部材側Ｙの受け金具１４に掛合した鎌片６を押えるように浮上し、この時に、鎌片の下方に設けた転動体２７が、錠箱１に配設した傾斜状のレール部材２０を戸の慣性力によって瞬時に登り、スライダーの下方に一時的に潜り込んだ後に自重により初期位置へと戻ることを特徴とする。
【０００７】
【発明の実施の形態】
図１乃至６図は、本発明の第１実施例を示す各説明図である。以下、引戸錠の戸の反発防止装置について説明する。１は錠箱である。錠箱１は、ケース身２と、ケース蓋３とから成る。ケース身２は一体のフロント４を有する。錠箱１はフロント４、固着具９を介して引戸Ｘに固定されている。ケース身２には、図示しない軸孔、トリガー５用案内部などが適宜に形成されている。またケース身２には鎌片６の幅広後端部に設けられた係合ピン７と係合する弧状案内部（案内長孔、案内溝など）８が形成されている。ケース身２の上部に下向きに形成された弧状案内長孔８は仮想線で示してある。本実施例では、ケース身２とフロント４は主に合成樹脂材で一体に成形されている。但し、後述する鎌片用支軸１７を有する部分は、錠箱１の耐久性を図るために金属で形成されている。
【０００８】
ここで図１及び図２を参照にしてフロント４を説明する。１０はフロント４の上部側で、かつ、ケース身２の内部方向に形成された凹所である。この凹所１０は上下に対称的な傾斜面１０ａ，１０ｂを有すると共に、凹所１０内の上部にトリガー５用の角型嵌合孔１１が形成されている。またフロント４の中央部には、鎌片６用の縦長窓１２が形成されている。フロント４にこのような凹所１０を形成した理由は、後述する戸枠側の受け金具１４がシンプルな形態（例えばアングル形状）である場合に於いて、閉戸時、受け金具１４の掛合部１４ａが凹所１０内まで入り込み、結果としてトリガー５を十分に押し付けることができるからである。
【０００９】
トリガー５は、前記凹所１０の角型嵌合孔１１に貫通状態に嵌挿されている。１３はトリガー５の後端部と錠箱１（ケース身２）の後壁１ａとの間に設けられたトリガーバネである。トリガー５は、図１で示すように引戸Ｘを開いた時（ここでは「開戸時」という。）、このトリガーバネ１３のバネ力によりフロント４から水平方向に突出し、一方、引戸Ｘを閉じた時（ここでは「閉戸時」という。）、戸枠Ｙ側の受け金具１４に当たりながらかつトリガーバネ１３のバネ力に抗して錠箱１内へと後退する（図４，図５参照）。
【００１０】
１５はトリガー５の後端部の下辺に突出形成された下向き凹所状の嵌合部である。この嵌合部１５の対向側壁には半円状の切欠部１６が形成されている。この嵌合部１５内には、鎌片６の後端部６ａが遊嵌合する（図１で嵌合部の向こう側の側壁が見えている）。一方、前記切欠部１６には、前述した弧状案内部８に係合した係合ピン７が入り込んでいる。
【００１１】
トリガー５は、開戸時、嵌合部１５の一端面がフロント４の凹所１０の内壁面１０ｃに面接触することにより所定位置で停止する。したがって、前記凹所１０の内壁面１０ｃは、トリガー５に対するストッパー機能を発揮する。
【００１２】
金属製の鎌片６は支軸１７を介して錠箱１に回転自在に設けられている。支軸１７は、トリガー５の嵌合部１５付近に位置するように図示しない金属製の軸孔を有する一対の支板を介して錠箱１に横設されている。また鎌片６は、幅広の後端部６ａが支軸１７に軸支されているので、開戸時、垂れ下がり状となり、その指先状先端部６ｂはフロント４の縦長窓１２内に位置している。支軸１７を中心に弧を描く係合ピン７は、前述したようにトリガー５の切欠部１６内に入り込んでいるので、鎌片６は該係合ピン７を介してトリガー５に連動する。
【００１３】
２０は錠箱１内の下部に固定的に配設された傾斜状レール部材である。このレール部材２０は、本実施例では、図３で示すように錠箱１の後壁１ａ側からフロント４側に向かって所要の（例えばゆるやかな）勾配が付された登り坂を有する支持台２１と、この支持台２１の前記登り坂２２に固定された長環状のガイドレール２３とから成る。
【００１４】
しかして、前記支持台２１の高台部分には、立ち上がり壁の上部に平坦なバネ端支持部２４が設けられ、また支持台２１の中央部には、高台部分側から低台部分に至るまで凹所状の受入れ部２５が形成されている。
一方、前記ガイドレール２３は、凹所状受入れ部２５と連通する長孔状受孔２６を有する長環状（陸上競技場のトラック形状）に形成され、支持台２１の登り坂２２に固定的に敷設されている。
【００１５】
２７はレール部材２０を転動する球状の転動体或いは滑動体である。この転動体２７は、中央部が膨らんだ棒状体、ソロバン玉形状、パチンコ玉形状、滑車など傾斜状レール部材２０を転がるものであれば、特に形状を限定するものではない。本実施例ではパチンコ玉形状の球体を用いている。
本実施例の球状転動体２７は、例えばガイドレール２３の長孔状受孔２６の両縁部に支持された状態で転動するので、受孔２６の横幅（内径）と転動体２７の大きさ（外径）は、適宜に設定されている。
【００１６】
しかして、転動体２７は、引戸Ｘの閉戸時、その慣性力によってガイドレール２３を転がりながら登（上）り、後述するスライダー片の下方に一時的に潜り込んだ後に、自重により初期位置へと転がり落ちる。２８は転がり落ちてくる転動体２７を受止めることができるようにレール部材２０の後端面の上方に横設された棒状或いは板状ストッパーである。この転動体２７は、望ましくは後述するスライダー３０の下端部近傍に単数又は複数個のストッパー２８を介して位置付けられている。
【００１７】
３０は錠箱１に形成された複数個の垂直案内部に案内されて上下動する縦杆状スライダーである。このスライダーは、戸の閉鎖時に慣性力によって作動する鎌片用係止部材の一種である。このスライダー（鎌片用係止部材）３０は、前述したレール部材２０のバネ端支持部２４に縦方向に適宜に配設したバネ部材としてのスライダーバネ３１により、鎌片６の外周面３２ａ，３２ｂに常時圧接するように付勢されている。
【００１８】
しかして、スライダー３０は、本実施例では全体として羽が短くかつ首が長い鳥状に形成されている。すなわち、３３はレール部材２０の支持台２１の受入れ部２５に遊嵌合する胴部である。３４は胴部３３の両側面に突設された短い羽状の突片部で、これらの突片部３４はスライダー３０を下方に押し込んだ場合にはレール部材２０のガイドレール２３に当接可能である。３５は胴部３３から上方に延伸する鶴首状の首部で、この首部３５の下部の両側面には、錠箱１に形成された第１垂直案内部（垂直案内長孔、垂直案内溝など）３６と係合する下部係合突起３７，３７が形成されている。３８は首部３５に連設する頭部で、この頭部３８の両側面には、錠箱１に形成された第２垂直案内部（垂直案内長孔、垂直案内溝など）３９と係合する上部係合突起４０，４０が形成されている。なお、頭部３８は顎部分を有しているが、この顎部分にスライダーバネ３１の上端部が適宜に支持される。
【００１９】
ところで、前述した第１垂直案内部３６と第２垂直案内部３９は、錠箱１のフロント４付近のケース身２とケース蓋３（ケース蓋３の方は便宜上図示を省略）にそれぞれ対向的に形成され、下方の第１垂直案内部３６よりも上方の第２垂直案内部３９の方がフロント４側に位置している。
【００２０】
は、本実施例では錠箱１に形成された縦長の大切欠部４２を貫通している。ここでは図示を省略するが、大切欠部４２と前記上方の第２垂直案内部３９の間には小切欠部を形成することにより、ロック部４１用のバネ性係合部ができている。
【００２１】
上記構成に於いて、図１は引戸Ｘの開戸時を示す。前述したように、トリガー５は、トリガーバネ１３のバネ力によりフロント４から水平方向に突出している。この時トリガーバネ１３の嵌合部１５はフロント４の凹所１０の内壁面１０ｃに面接触することにより所定位置で停止している。また鎌片６の係合ピン７はトリガーバネ１３の切欠部１６内の左側に位置し、鎌片６の先端部６ｂはフロント４の縦長窓１２内に位置している。また、スライダー３０は鎌片６に押されているので、その頭部３８は収縮したスライダーバネ３１のバネ力により、鎌片６の弧状外周面３２ａに圧接している。また、転動体２７は、初期位置にバックしてストッパー２８に当っている。さらに、操作片の横杆状ロック部４１は、鎌片６から離れて大切欠部４２の下部側に位置している（スライダー３０の首部３５の背面に位置している）。
【００２２】
図４は引戸Ｘの閉戸時に於ける鎌片の中途状態を示している。引戸Ｘの閉戸時にトリガー５の先端部５ａが受け金具１４の掛合部１４ａに当ると、トリガー５はトリガーバネ１３のバネ力に抗して錠箱１内へと後退する。この時鎌片６は、トリガー５の切欠部１６及び鎌片６の係合ピン７を介してトリガー５の動きに連動する。つまり、鎌片６はトリガー５が錠箱内に後退する掛合方向に回転する。
鎌片６が矢印で示すように支軸１７を支点に時計方向へと回転すると、スライダー３０は鎌片６の弧状外周面３２ａに押されて一旦スライダーバネ３１のバネ力に抗して収縮する。この時転動体２７は、まだ初期位置に停止している。
【００２３】
図５は引戸Ｘが戸枠側の固定部材に衝突する直前の説明図である。衝突直前になると、鎌片６はトリガー５の後退動に連動して相当回転しているので、その先端部６ａは受け金具１４の掛合部１４ａに相当係合し始めている。このような状態になると、スライダー３０の頭部３８は鎌片６の直線状外周面３２ｂに摺接するので、スライダーバネ３１のバネ力により上昇する。その結果、スライダー３０の下端部（胴部）３３はガイドレール２３から浮いた格好となる。
【００２４】
図６は引戸Ｘを勢い良く閉めた時の状態を示している。引戸Ｘを「パターン」と勢い良く閉めた時、戸先は戸枠、柱等の不動産を構成する固定部材の当接部に衝突する。この衝突時、トリガー５はトリガーバネ１３のバネ力に抗して錠箱１内へと完全に後退する。一方、鎌片６は受け金具１４に完全に掛合する。またスライダー３０はスライダーバネ３１のバネ力により第１及び第２垂直案内部３６，３９に案内されながら上昇する。スライダー３０が上昇すると、前述したようにその頭部３８は鎌片の直線状外周面３２ｂに突き当たる反面、胴部３３はレール部材２０のガイドレール２３から離れて浮いた格好となっている。この時、引戸Ｘに反力が作用し始める（戸の跳ね返り現象）が、それと同時に転動体２７は慣性力によってガイドレール２３を瞬時に登り、スライダーの下方空間に一時的に潜り込む。したがって、転動体２７がスライダー片の下方に位置した瞬間、引戸Ｘに反力が作用しても（戸の跳ね返り現象が生じても）、引戸Ｘは反力により開かない。
【００２５】
換言すれば、戸衝突時、当然に鎌片６は受け金具１４を介して反時計方向へ戻ろうとするが、転動体２７がスライダー片の下方に転がり込んでいるので、転動体２７が障害子となり、スライダー３０は鎌片６に対する係止機能を発揮する。そして、閉戸時、引戸Ｘに反力が作用しなくなると（戸の跳ね返りを防止した直後）、スライダー３０はスライダーバネ３１のバネ力により浮いたままの状態なので、転動体２７は、障害物がない限り、自重によりガイドレール２３を転がり落ち、初期位置へと戻る。その後、操作部材を上方へ操作すると、操作部材のロック部４１は、図６の仮想線で示すように大切欠部４２の上方へと移動し、図示しないバネ性係合部に係止された状態で鎌片６の後端部の切欠状係合部３２ｃに係合する。
【００２６】
【実施例】
次に、この欄では第２実施例について説明する。なお、第２の実施例の説明にあたって、第１実施例と同一又は同様（機能が同一）の部分には、同一又は同様の符号を付し、重複する説明を省略する。
【００２７】
図７乃至図９に示す第２実施例の係止部材３０Ａも第１実施例の鎌片用係止部材３０と同様に、鎌片６の下方に位置するように錠箱１Ａに上下動自在に配設された杆状のスライダーである点、このスライダー３０Ａは、図９で示すように開戸時、錠箱１Ａに内装されたバネ部材３１Ａにより、その頭部３８Ａが鎌片６の外周面３２ａに常時圧接するように付勢され、一方、図７で示すように引戸Ｘを勢い良く閉鎖した閉戸時、前記バネ部材３１Ａのバネ力により固定部材側Ｙの受け金具１４に掛合した鎌片６を押えるように浮上する点、この時に、鎌片６の下方に設けた転動体２７が、錠箱１に配設した傾斜状のレール部材２０Ａを瞬時に登る点は同様である。
【００２８】
しかしながら、鎌片用係止部材３０Ａの形状は、図８で示すように長首状垂直棒３５Ａの上端部に頭部３８Ａのみを設けてシンプルに形成されている点、前記頭部３８Ａに錠箱１Ａ（ケース身２Ａ，ケース蓋３Ａ）に形成した一対の垂直案内部３９Ａのみに係合する左右一対の係合突起４０Ａ，４０Ａが設けられている点、鎌片用係止部材３０Ａの垂直棒３５Ａを案内し、かつ、前記バネ部材３１Ａの下端面を受ける支持台状の案内部材５０をフロント４Ａの下部寄りの内面に固定的に突設した点（例えば案内部材５０をケース身に設けても良い）、傾斜状のレール部材２０Ａを長環状のガイドレールを有しない支持台のみにした点、ストッパー２８Ａが複数個である点が異なる。なお、前記案内部材５０は垂直方向に貫通孔５１を有し、この貫通孔５１に垂直棒３５Ａの下端部がスライド自在に嵌入している。
【００２９】
上記構成に於いて、図９は引戸Ｘの開戸時を示す。一方、図７は引戸を勢い良く閉めた時の状態を示す。これらの図から明らかなように、第２実施例の作用・効果も第１実施例と同様なので、詳細な説明は割愛する。
【００３０】
【発明の効果】
以上の説明から明らかなように、本発明にあっては、次に列挙するような作用・効果がある。
（１）従来の実施例と同様に戸の慣性力を利用することにより、戸の跳ね返り現象を確実に防止することができる反面、戸の反動力が終わった直後に、鎌片用係止部材の障害子の機能を果している転動体が、自重により、すぐに初期位置（扉の開く方向）に戻ることができ、これにより、引戸の解錠時に於いて、引戸を一旦閉戸方向に閉め直さなくても、そのまま引戸を開くことができる。
（２）その他、鎌片用係止部材がスムースに上下動する、引戸を勢い良く閉めた時に転動体が瞬時に浮上中の鎌片用係止部材の下方に潜り込む、構成する部品点数が少ないので、安価に製作することができるなどの効果がある。
（３）請求項４に記載の発明は、戸枠側の受け金具１４がシンプルな形態（例えばアングル形状）である場合に於いて、閉戸時、受け金具１４の掛合部１４ａが凹所１０内まで入り込み、結果としてトリガー５を十分に押し付けることができる。
【図面の簡単な説明】
図１乃至図６は本発明の第１実施例を示す各概略説明図。図７乃至図９は本発明の第２実施例を示す各概略説明図。
【図１】第１実施例の概略縦断面説明図。
【図２】フロントの正面から見た説明図。
【図３】主要部の分解説明図。
【図４】引戸の閉戸時に於ける鎌片の中途状態を示す作動状態の説明図。
【図５】引戸が戸枠側の固定部材に衝突する直前の説明図。
【図６】引戸を勢い良く閉めた時の状態を示す説明図。
【図７】第２実施例の概略縦断面説明図。
【図８】第２実施例の主要部の分解説明図。
【図９】引戸を勢い良く閉めた時の状態を示す説明図。
【符号の説明】
Ｘ…引戸、Ｙ…固定部材、１，１Ａ…錠箱、２，２Ａ…ケース身、３，３Ａ…ケース蓋、４，４Ａ…フロント、５…トリガー、６…鎌片、７…係合ピン７、８…弧状案内部、９…固着具、１０…凹所、１１…嵌合孔、１２…縦長窓、１３…トリガーバネ、１４…受け金具、１５…嵌合部、１６…切欠部、１７…鎌片用支軸、２０，２０Ａ…レール部材、２１…支持台、２２…登り坂、２３…ガイドレール、２４…バネ端支持部、２５…受入れ部、２６…長孔状受孔、２７…転動体、２８…ストッパー、３０，３０Ａ…鎌片用係止部材（スライダー）、３１，３１Ａ…バネ部材（スライダーバネ）、３２ａ…鎌片の弧状外周面、３２ｂ…鎌片の直線状外周面、３２ｃ…鎌片の係合切欠部、３３…胴部、３４…突片部、３５，３５Ａ…首部、３６…第１垂直案内部、３７…下部係合突起、３８，３８Ａ…頭部、３９，３９Ａ…第２垂直案内部、４０，４０Ａ…上部係合突起、４１…ロック部、５０…案内部材。
【図１】
0003927853.tif 000002
【図２】
0003927853.tif 000003
【図３】
0003927853.tif 000004
【図４】
0003927853.tif 000005
【図５】
0003927853.tif 000006
【図６】
0003927853.tif 000007
【図７】
0003927853.tif 000008
【図８】
0003927853.tif 000009
【図９】
0003927853.tif 000010